(57)【要約】【課題】  複数の端末から監視対象端末と共に移動している特定端末を絞り込む。【解決手段】  電話番号受信手段１ａは、オペレータから監視対象端末３ａの電話番号を受信する。ホームメモリ局２は、端末の存在している地域を示す位置情報を、端末の電話番号と対応させて管理している。位置情報取得手段１ｂは、ホームメモリ局２から監視対象端末３ａの位置情報を、受信した監視対象端末３ａの電話番号より取得する。電話番号取得手段１ｃは、ホームメモリ局２から、監視対象端末３ａの位置情報と同じ位置情報を有する端末の電話番号を取得する。電話番号保持手段１ｄは、監視対象端末３ａと常に同じ位置情報を有している端末の電話番号を保持する。【選択図】  図１
2005286955.tif 000002
【特許請求の範囲】
【請求項１】
複数の端末から監視対象端末と共に移動している特定端末を絞り込む移動端末絞込み装置において、
オペレータから前記監視対象端末の電話番号を受信する電話番号受信手段と、
前記端末の存在している地域を示す位置情報を前記端末の電話番号と対応させて管理しているホームメモリ局から、前記監視対象端末の前記位置情報を、前記監視対象端末の前記電話番号より取得する位置情報取得手段と、
前記ホームメモリ局から、前記監視対象端末と同じ前記位置情報を有する前記端末の前記電話番号を取得する電話番号取得手段と、
前記監視対象端末と常に同じ前記位置情報を有する前記端末の前記電話番号を保持する電話番号保持手段と、
を有することを特徴とする移動端末絞込み装置。
【請求項２】
前記位置情報取得手段は、前記オペレータから入力される条件に従って、前記監視対象端末の前記位置情報を取得することを特徴とする請求項１記載の移動端末絞込み装置。
【請求項３】
前記ホームメモリ局は、前記監視対象端末が別の地域に移動したとき、前記監視対象端末の前記位置情報を前記位置情報取得手段に送信することを特徴とする請求項１記載の移動端末絞込み装置。
【請求項４】
前記電話番号保持手段によって保持される前記電話番号を表示装置に表示する電話番号表示手段をさらに有することを特徴とする請求項１記載の移動端末絞込み装置。
【請求項５】
複数の端末から監視対象端末と共に移動している特定端末を絞り込む移動端末絞込みプログラムにおいて、
コンピュータを、
オペレータから前記監視対象端末の電話番号を受信する電話番号受信手段、
前記端末の存在している地域を示す位置情報を前記端末の電話番号と対応させて管理しているホームメモリ局から、前記監視対象端末の前記位置情報を、前記監視対象端末の前記電話番号より取得する位置情報取得手段、
前記ホームメモリ局から、前記監視対象端末と同じ前記位置情報を有する前記端末の前記電話番号を取得する電話番号取得手段、
前記監視対象端末と常に同じ前記位置情報を有する前記端末の前記電話番号を保持する電話番号保持手段、
として機能させることを特徴とする移動端末絞込みプログラム。
【発明の詳細な説明】
【技術分野】
【０００１】
本発明は移動端末絞込み装置および移動端末絞込みプログラムに関し、特に複数の端末から監視対象端末と共に移動している特定端末を絞り込む移動端末絞込み装置および移動端末絞込みプログラムに関する。
【背景技術】
【０００２】
携帯電話等の端末は、収容されているエリアを特定することが可能であり、端末を所持している人物の行動を追跡することが可能である。
従来、迅速かつ効率的に端末の位置を追跡する端末位置追跡システムがある（例えば、特許文献１参照）。この端末位置追跡システムでは、端末の位置を時系列的に所定数だけ記憶することにより、端末の現在位置を予測し、迅速かつ効率的に端末の現在位置を確認することができるようになっている。また、追跡対象の現在位置やそこに至るまでの軌跡を容易に取得できる追跡システムがある（例えば、特許文献２参照）。この追跡システムでは、追跡対象にＧＰＳ機能を備えた携帯ＩＤタグを搭載し、追跡対象の現在位置やそこに至るまでの軌跡を容易に取得できるようになっている。
【０００３】
ところで、例えば、誘拐された被害者が、携帯電話等の監視対象端末を所持していれば、上記のシステムで監視対象端末を追跡することにより、被害者の行方を追跡することができる。しかし、誘拐犯を特定することはできない。誘拐犯が所持する携帯電話等の特定端末を把握することができれば、誘拐犯の情報を得ることができる。
【０００４】
誘拐犯は、一般に被害者とともに行動する。従って、複数の端末から監視対象端末と共に移動している特定端末を把握できれば、誘拐犯の情報を得ることが可能となる。
【特許文献１】特開２０００−２３２３６号公報（段落番号〔０００７〕〜〔００２６〕、図１〜図５）
【特許文献２】特開２００２−３２９２９４号公報（段落番号〔０００９〕〜〔００２２〕、図１〜図３）
【発明の開示】
【発明が解決しようとする課題】
【０００５】
しかし従来の追跡システムでは、監視対象端末の追跡は行われていたが、複数の端末から監視対象端末とともに移動している特定端末を絞り込むことは行われていなかった。
本発明はこのような点に鑑みてなされたものであり、監視対象端末が存在している地域と同じ地域に常に存在している端末の履歴を採取することにより、監視対象端末と移動を共にしている特定端末を絞り込むことができる移動端末絞込み装置および移動端末絞込みプログラムを提供することを目的とする。
【課題を解決するための手段】
【０００６】
本発明では上記問題を解決するために、複数の端末から監視対象端末３ａと共に移動している特定端末３ｂを絞り込む移動端末絞込み装置１において、オペレータから監視対象端末３ａの電話番号を受信する電話番号受信手段１ａと、端末の存在している地域を示す位置情報を端末の電話番号と対応させて管理しているホームメモリ局２から、監視対象端末３ａの位置情報を、監視対象端末３ａの電話番号より取得する位置情報取得手段１ｂと、ホームメモリ局２から、監視対象端末３ａと同じ位置情報を有する端末の電話番号を取得する電話番号取得手段１ｃと、監視対象端末３ａと常に同じ位置情報を有する端末の電話番号を保持する電話番号保持手段１ｄと、を有することを特徴とする移動端末絞込み装置が提供される。
【０００７】
このような移動端末絞込み装置１によれば、オペレータから監視対象端末３ａの電話番号を受信し、ホームメモリ局２から監視対象端末３ａの位置情報を、受信した電話番号より取得する。そして、取得した位置情報より、監視対象端末３ａと同じ位置情報を有する端末の電話番号をホームメモリ局２から取得し、監視対象端末３ａと常に同じ位置情報を有する端末の電話番号を保持する。
【発明の効果】
【０００８】
本発明の移動端末絞込み装置では、複数の端末から、監視対象端末と常に同じ位置情報を有している端末の電話番号を保持するようにしたので、監視対象端末と共に移動している特定端末を絞り込むことができる。
【発明を実施するための最良の形態】
【０００９】
以下、本発明の原理を図面を参照して詳細に説明する。
図１は、本発明の原理を説明する原理図である。
図に示すように移動端末絞込み装置１は、電話番号受信手段１ａ、位置情報取得手段１ｂ、電話番号取得手段１ｃ、および電話番号保持手段１ｄを有している。ホームメモリ局２は、端末の存在している地域を示す位置情報を端末の電話番号と対応させて管理している。移動端末絞込み装置１は、ホームメモリ局２と、例えば、専用回線で接続されている。
【００１０】
電話番号受信手段１ａは、オペレータから監視対象端末３ａの電話番号を受信する。
位置情報取得手段１ｂは、電話番号受信手段１ａが受信した監視対象端末３ａの電話番号より、監視対象端末３ａの位置情報をホームメモリ局２から取得する。
【００１１】
電話番号取得手段１ｃは、位置情報取得手段１ｂが取得した監視対象端末３ａの位置情報と同じ位置情報を有する端末の電話番号をホームメモリ局２から取得する。
電話番号保持手段１ｄは、監視対象端末３ａと常に同じ位置情報を有している端末の電話番号を保持する。
【００１２】
すなわち、移動端末絞込み装置１は、オペレータから監視対象端末３ａの電話番号を受信し、ホームメモリ局２から監視対象端末３ａの位置情報を、受信した電話番号より取得する。そして、取得した位置情報より、監視対象端末３ａと同じ位置情報を有する端末の電話番号をホームメモリ局２から取得し、監視対象端末３ａと常に同じ位置情報を有している端末の電話番号を保持する。これによって、監視対象端末３ａと共に移動している特定端末３ｂを絞り込むことができる。
【００１３】
以下、本発明の実施の形態を図面を参照して詳細に説明する。
図２は、本発明の実施の形態のシステム構成例を示した図である。
図に示すように移動端末絞込みサーバ１０は、ネットワーク５０を介して端末装置３１ａ，３２ａ，３３ａと接続されている。また、移動端末絞込みサーバ１０は、ホームメモリ局４０と、例えば、専用回線で接続されている。端末装置３１ａは、興信所３１が所有する端末装置である。端末装置３２ａは、警備会社３２が所有する端末装置である。端末装置３３ａは、警察が所有する端末装置である。監視対象端末２１および特定端末２２は、移動端末であり、例えば、携帯電話である。
【００１４】
ホームメモリ局４０は、端末が収容されているセルを管理する局である。ホームメモリ局４０は、移動端末絞込みサーバ１０から端末の電話番号を受け付けると、その電話番号を有する端末のセルを移動端末絞込みサーバ１０に返す。また、ホームメモリ局４０は、移動端末絞込みサーバ１０からセルを受け付けると、受け付けたセルに収容されている全ての端末の電話番号を移動端末絞込みサーバ１０に返す。
【００１５】
図に示すシステムは、端末装置３１ａ，３２ａ，３３ａを操作するオペレータから監視対象端末２１の電話番号を受け付けると、受け付けた電話番号から、監視対象端末２１と共に行動している特定端末２２を把握できる。例えば、監視対象端末２１を、誘拐犯によって誘拐された被害者が所持する携帯電話とする。特定端末２２を、誘拐犯が所持する携帯電話とする。すると、図に示すシステムでは、オペレータから監視対象端末２１の電話番号を受け付けることにより、監視対象端末２１と共に移動している特定端末２２を複数の端末から絞り込むことができる。これによって、特定端末２２より誘拐犯を推定することができる。
【００１６】
より具体的には、被害者が所持する監視対象端末２１の電話番号を、興信所３１の端末装置３１ａ、警備会社３２の端末装置３２ａ、または警察３３の端末装置３３ａから受け付ける。移動端末絞込みサーバ１０は、ネットワーク５０を介して監視対象端末２１の電話番号を受信し、ホームメモリ局４０より、監視対象端末２１のセルを取得する。移動端末絞込みサーバ１０は、取得したセルをもとに、監視対象端末２１と同じ地域にいる全ての端末の電話番号を継続的に取得する。そして、監視対象端末２１と常に同じ地域にいる端末の電話番号のみを保持していく。これによって、監視対象端末２１と常に同じ地域にいる特定端末２２の所持者（所有者）を誘拐犯と推定することができる。
【００１７】
次に、移動端末絞込みサーバ１０のハードウェア構成について説明する。
図３は、移動端末絞込みサーバのハードウェア構成を示したブロック図である。
図に示す移動端末絞込みサーバ１０は、ＣＰＵ(Central Processing Unit)１０ａによって装置全体が制御されている。ＣＰＵ１０ａには、バス１０ｇを介してＲＡＭ(Random Access Memory)１０ｂ、ハードディスクドライブ(ＨＤＤ:Hard Disk Drive)１０ｃ、グラフィック処理装置１０ｄ、入力インターフェース１０ｅ、および通信インターフェース１０ｆが接続されている。
【００１８】
ＲＡＭ１０ｂには、ＣＰＵ１０ａに実行させるＯＳ(Operating System)のプログラムや、監視対象端末２１と共に移動する特定端末２２を絞り込むためのアプリケーションの少なくとも一部が一時的に格納される。また、ＲＡＭ１０ｂには、ＣＰＵ１０ａによる処理に必要な各種データが保存される。ＨＤＤ１０ｃには、ＯＳやアプリケーションプログラムなどが格納される。
【００１９】
グラフィック処理装置１０ｄには、モニタ１０ｈが接続されている。グラフィック処理装置１０ｄは、ＣＰＵ１０ａからの命令に従って、画像をモニタ１０ｈの表示画面に表示させる。入力インターフェース１０ｅには、キーボード１０ｉと、マウス１０ｊとが接続されている。入力インターフェース１０ｅは、キーボード１０ｉやマウス１０ｊから送られてくる信号を、バス１０ｇを介してＣＰＵ１０ａに送信する。
【００２０】
通信インターフェース１０ｆは、ネットワーク５０および専用回線と接続される。通信インターフェース１０ｆは、ＣＰＵ１０ａからの命令に従って、ネットワーク５０に接続されている端末装置３１ａ，３２ａ，３３ａ、専用回線に接続されているホームメモリ局４０と通信することができる。
【００２１】
以上のようなハードウェア構成によって、監視対象端末２１と共に移動する特定端末２２を複数の端末から絞り込むことができる。なお、端末装置３１ａ，３２ａ，３３ａも図３と同様のハードウェア構成を有する。
【００２２】
次に、移動端末絞込みサーバ１０の機能について説明する。
図４は、移動端末絞込みサーバの機能ブロック図である。
図に示すように移動端末絞込みサーバ１０は、追跡要求受信部１１、収集契機管理部１２、収集契機管理ＤＢ（ＤＢ：Data Base）１２ａ、位置登録通知管理部１３、端末エリア抽出部１４、エリア情報管理ＤＢ１４ａ、同一エリア端末抽出部１５、端末履歴管理部１６、端末履歴ＤＢ１６ａ、および監視結果通知部１７を有している。収集契機管理ＤＢ１２ａ、エリア情報管理ＤＢ１４ａ、および端末履歴ＤＢ１６ａは、例えば、図３のＲＡＭ１０ｂまたはＨＤＤ１０ｃの記憶装置に構築される。
【００２３】
追跡要求受信部１１は、端末装置３１ａ，３２ａ，３３ａから、監視対象となる監視対象端末２１の電話番号を受信する。また、追跡要求受信部１１は、監視対象端末２１と共に移動している特定端末２２の絞込み方法を、端末装置３１ａ，３２ａ，３３ａから受信する。
【００２４】
絞込み方法は３種類ある。第１の方法は、端末装置３１ａ，３２ａ，３３ａから電話番号が送信されるたびに、特定端末２２の絞込みを行う方法である。第２の方法は、端末装置３１ａ，３２ａ，３３ａから、特定端末２２の絞込みを行う周期などの絞込み条件を受信し、受信した絞込み条件に従って、特定端末２２の絞込みを行う方法である。第３の方法は、第１の方法または第２の方法に加え、監視対象端末２１がハンドオーバしたときにも、特定端末２２の絞込みを行う方法である。
【００２５】
追跡要求受信部１１は、第１の方法が指定されたとき、端末エリア抽出部１４を呼び出す。第２の方法が指定されたとき、収集契機管理部１２を呼び出す。第３の方法が指定されたとき、位置登録通知管理部１３を呼び出す。
【００２６】
収集契機管理部１２は、追跡要求受信部１１からの呼び出しにより起動し、追跡要求受信部１１から監視対象端末２１の電話番号と絞込み条件とを受信する。収集契機管理部１２は、受信した電話番号と絞込み条件とを収集契機管理ＤＢ１２ａに格納する。絞込み条件には、例えば、監視対象端末２１が存在しているセルを監視する監視周期、監視回数、または監視時間がある。
【００２７】
ここで、収集契機管理ＤＢ１２ａのデータ構成例について説明する。
図５は、収集契機管理ＤＢのデータ構成例を示した図である。
図に示すように収集契機管理ＤＢ１２ａは、電話番号、監視周期、監視回数、監視開始日時、および監視終了日時の欄が設けられている。
【００２８】
電話番号の欄には、監視対象となる端末の電話番号が格納される。監視周期の欄には、端末の監視を行う周期が格納される。監視回数の欄には、端末の監視を行う回数が格納される。監視開始日時の欄には、端末の監視を開始する日時が格納される。監視終了日時の欄には、端末の監視を終了する日時が格納される。なお、各欄に格納される−は、条件の指定がないこと示す。
【００２９】
図５の例では、電話番号の最上欄には、０８０−ｘｘｘｘ−ｘｘｘｘが格納されている。この電話番号の端末を監視する監視周期は３分である。監視開始日時は２００３年１２月ｙｙ日１８時００分００秒であり、開始終了日時は２００３年１２月ｚｚ日０９時００分００秒である。なお、監視回数は−となっており条件が指定されていない。つまり、指定された監視開始日時から監視終了日時まで監視が行われることを示している。
【００３０】
収集契機管理部１２は、図５の収集契機管理ＤＢ１２ａに示すような絞込み条件に従って、端末エリア抽出部１４を呼び出す。このとき、監視対象となっている端末の電話番号を端末エリア抽出部１４に送信する。
【００３１】
位置登録通知管理部１３は、追跡要求受信部１１からの呼び出しにより起動し、追跡要求受信部１１から電話番号を受信する。位置登録通知管理部１３は、受信した電話番号をホームメモリ局４０に登録する。
【００３２】
ホームメモリ局４０は、位置登録通知管理部１３より電話番号が登録されると、登録された電話番号の端末がハンドオーバしたとき、その端末の電話番号を位置登録通知管理部１３に送信する。位置登録通知管理部１３は、ホームメモリ局４０から、ハンドオーバした端末の電話番号を受信すると、端末エリア抽出部１４を呼び出す。このとき、ホームメモリ局４０から受信した電話番号を端末エリア抽出部１４に送信する。
【００３３】
端末エリア抽出部１４は、上記で説明した第１の方法の指定があった場合、追跡要求受信部１１から起動され、監視対象端末２１の電話番号が送信されてくる。また、端末エリア抽出部１４は、上記の第２の方法の指定があった場合、収集契機管理部１２より絞込み条件に従って起動され、監視対象端末２１の電話番号が送信されてくる。また、端末エリア抽出部１４は、上記の第３の方法の指定があった場合、位置登録通知管理部１３から、ハンドオーバがあったときに起動され、ハンドオーバした監視対象端末２１の電話番号が送信されてくる。
【００３４】
端末エリア抽出部１４は、受信した電話番号より、監視対象端末２１を収容しているセルをホームメモリ局４０から取得する。ところで、セルの範囲は、端末が契約しているキャリアごとによって異なる。そこで、端末エリア抽出部１４は、取得したセルをもとにエリア情報管理ＤＢ１４ａを参照して、キャリアに関係なく監視対象端末２１がどの地域に収容されているかを示すエリアを取得する。
【００３５】
ここで、セルとエリアの関係およびエリア情報管理ＤＢ１４ａについて説明する。まず、セルとエリアの関係について説明する。
図６は、セルとエリアの関係を説明する図で、（ａ）はセルを示した図、（ｂ）はセルとエリアを示した図である。
【００３６】
図６（ａ）、図６（ｂ）に示すセルＣ１〜Ｃ６は、キャリアＡの基地局Ｘでのセルを示している。また、セルＣａ〜Ｃｆは、キャリアＢの基地局Ｙでのセルを示している。このため、キャリアＡと契約している端末の位置はセルＣ１〜Ｃ６で示され、キャリアＢと契約している端末の位置はセルＣａ〜Ｃｆで示されるので、各キャリアによって、端末の位置の表現が変わってしまう。例えば、セルＣ４とセルＣｆが重なっている地域は、同じ場所であるにもかかわらず、異なった表現がされる。
【００３７】
図６（ｂ）に示すエリアは、各キャリアのセルとは関係なく、地域範囲が決められている。エリアは、例えば、図に示すように、地域を格子状に仕切っている。前述したセルＣ４とセルＣｆが重なっている地域は、統一してエリア１と表現することができる。
【００３８】
次に、エリア情報管理ＤＢ１４ａのデータ構成例について説明する。
図７は、エリア情報管理ＤＢのデータ構成例を示した図である。
図に示すようにエリア情報管理ＤＢ１４ａは、エリア名、基地局Ｘのセル、および基地局Ｙのセルの欄が設けられている。
【００３９】
エリア名の欄には、エリアに付与されている名前が格納される。基地局Ｘのセルの欄には、エリア名の欄に格納されているエリアに対応する基地局Ｘのセルが格納される。基地局Ｙのセルの欄には、エリア名の欄に格納されているエリアに対応する基地局Ｙのセルが格納される。
【００４０】
図６を参照すると、図７のエリア名エリア１に対応する基地局Ｘのセルは、Ｃ３，Ｃ４，Ｃ５である。エリア名エリア１に対応する基地局Ｙのセルは、Ｃｅ，Ｃｆである。
以上の図６、図７の例において、端末エリア抽出部１４が、ホームメモリ局４０からキャリアＡのセルＣ３を取得したとする。端末エリア抽出部１４は、エリア情報管理ＤＢ１４ａを参照して、セルＣ３に対応するエリア１を取得する。これによって、端末の収容地域を、キャリアに依存しないエリアで表現することができる。
【００４１】
端末エリア抽出部１４は、エリアを取得すると、同一エリア端末抽出部１５を呼び出す。このとき、取得したエリアを同一エリア端末抽出部１５に送信する。
同一エリア端末抽出部１５は、端末エリア抽出部１４からの呼び出しにより起動し、端末エリア抽出部１４からエリアを受信する。同一エリア端末抽出部１５は、受信したエリアに存在する端末の電話番号を、ホームメモリ局４０より取得する。
【００４２】
同一エリア端末抽出部１５は、エリア情報管理ＤＢ１４ａを参照し、受信したエリアに対応する各キャリアのセルを取得する。同一エリア端末抽出部１５は、取得したセルに収容されている端末の電話番号をホームメモリ局４０から取得する。すなわち、監視対象端末２１が収容されているエリアと同じエリアに収容されている端末の電話番号をホームメモリ局４０から取得する。これにより、監視対象端末２１と同じエリアに存在する端末の電話番号を、キャリアに関係なく取得することができる。
【００４３】
例えば、同一エリア端末抽出部１５が、端末エリア抽出部１４からエリア１を受信したとすると、図７のエリア情報管理ＤＢ１４ａを参照して、キャリアＡの基地局ＸのセルＣ３，Ｃ４，Ｃ５、キャリアＢの基地局ＹのセルＣｅ，Ｃｆを取得する。そして、同一エリア端末抽出部１５は、ホームメモリ局４０より、セルＣ３，Ｃ４，Ｃ５，Ｃｅ，Ｃｆに収容されている端末の電話番号を取得する。これによって、エリア１に存在する全ての端末の電話番号を、キャリアに関係なく取得することができる。
【００４４】
同一エリア端末抽出部１５は、セルに収容されている端末の電話番号を取得すると、端末履歴管理部１６を起動する。このとき、同一エリア端末抽出部１５は、取得した電話番号を端末履歴管理部１６に送信する。
【００４５】
端末履歴管理部１６は、同一エリア端末抽出部１５からの呼び出しにより起動し、同一エリア端末抽出部１５から電話番号を受信する。端末履歴管理部１６は、受信した電話番号を受信した日時とともに端末履歴ＤＢ１６ａに格納する。このとき、端末履歴管理部１６は、前回端末履歴ＤＢ１６ａに格納された電話番号と同じ電話番号を端末履歴ＤＢ１６ａに格納する。すなわち、前回、監視対象端末２１と同じエリアに存在していた端末の電話番号が、今回も監視対象端末２１と同じエリアに存在していた場合に、受信した電話番号を端末履歴ＤＢ１６ａに格納する。これによって、監視対象端末２１と常に同じエリアに存在している端末が端末履歴ＤＢ１６ａに残っていき、例えば、誘拐された者と同じ場所にいるであろう誘拐犯の所有する特定端末２２の電話番号が絞り込まれていく。
【００４６】
ここで、端末履歴ＤＢ１６ａのデータ構成例について説明する。
図８は、端末履歴ＤＢのデータ構成例を示した図である。
図に示すように端末履歴ＤＢ１６ａは、日時および候補端末の欄を有している。日時の欄には、監視対象端末２１と同じエリアにいる端末の電話番号が取得された（端末履歴管理部１６が受信した）ときの日時が格納される。候補端末の欄には、前回に電話番号が格納されており、今回も同じ電話番号が取得された場合に、その電話番号が格納される。
【００４７】
図８の例において、２００３年１２月ｙｙ日１８時３０分００秒に４つの電話番号が格納されたとする。そして、２００３年１２月ｙｙ日１８時３５分００秒に、複数の電話番号を端末履歴管理部１６が受信したとする。端末履歴管理部１６は、取得した電話番号のうち、前回の２００３年１２月ｙｙ日１８時３０分００秒に格納された電話番号と同じ電話番号のみを端末履歴ＤＢ１６ａに格納する。これによって、端末履歴ＤＢ１６ａには、監視対象端末２１と常に同じエリアに存在する端末の電話番号のみが残っていく。
【００４８】
監視結果通知部１７は、端末履歴管理部１６が端末履歴ＤＢ１６ａに電話番号を格納したとき、端末履歴ＤＢ１６ａに格納されている情報（日時、候補端末の電話番号）をモニタ１０ｈまたは端末装置３１ａ，３２ａ，３３ａのモニタに表示する。また、端末装置３１ａ，３２ａ，３３ａからの要求に応じて、端末履歴ＤＢ１６ａに格納されている情報を端末装置３１ａ，３２ａ，３３ａのモニタに表示する。
【００４９】
以下、移動端末を絞り込む処理の流れの一例について、シーケンス図を用いて説明する。
図９は、第１の方法が指定されたときの端末の絞込みの流れを示したシーケンス図である。
【００５０】
ステップＳ１において、追跡要求受信部１１は、端末装置３１ａ，３２ａ，３３ａから監視対象端末２１の電話番号と端末の絞込み方法を受信する。なお、今回は、絞込み方法は第１の方法である。
【００５１】
ステップＳ２において、追跡要求受信部１１は、端末エリア抽出部１４を呼び出す。このとき、追跡要求受信部１１は、端末装置３１ａ，３２ａ，３３ａから受信した電話番号を端末エリア抽出部１４に送信する。端末エリア抽出部１４は、追跡要求受信部１１により起動され、受信した監視対象端末２１の電話番号より、ホームメモリ局４０に監視対象端末２１の収容されているセルを問い合わせる。
【００５２】
ステップＳ３において、ホームメモリ局４０は、問い合わせのあった電話番号のセルを移動端末絞込みサーバ１０に返す。
ステップＳ４において、端末エリア抽出部１４は、ホームメモリ局４０から監視対象端末２１の収容されているセルを受信する。端末エリア抽出部１４は、エリア情報管理ＤＢ１４ａを参照し、受信したセルに対応するエリアを取得する。端末エリア抽出部１４は、同一エリア端末抽出部１５を呼び出し、取得したエリアを送信する。
【００５３】
ステップＳ５において、同一エリア端末抽出部１５は、端末エリア抽出部１４からの呼び出しにより起動し、端末エリア抽出部１４から監視対象端末２１が収容されているエリアを受信する。同一エリア端末抽出部１５は、エリア情報管理ＤＢ１４ａを参照し、受信したエリアに対応する各キャリアのセルを取得する。
【００５４】
ステップＳ６において、同一エリア端末抽出部１５は、取得した各キャリアのセルに収容されている全ての端末の電話番号をホームメモリ局４０に問い合わせる。すなわち、監視対象端末２１が収容されているエリアと同じエリアに収容されている端末の電話番号をホームメモリ局４０に問い合わせる。
【００５５】
ステップＳ７において、同一エリア端末抽出部１５は、ホームメモリ局４０から監視対象端末２１と同じエリアに存在している端末の電話番号を受信する。同一エリア端末抽出部１５は、端末履歴管理部１６を呼び出し、受信した電話番号を送信する。
【００５６】
ステップＳ８において、端末履歴管理部１６は、同一エリア端末抽出部１５からの呼び出しにより起動し、監視対象端末２１と同じエリアに存在している端末の電話番号を受信する。そして、端末履歴管理部１６は、前回端末履歴ＤＢ１６ａに格納された電話番号と同じ電話番号のみを端末履歴ＤＢ１６ａに格納する。
【００５７】
ステップＳ９において、端末履歴管理部１６は、端末履歴ＤＢ１６ａを参照し、絞り込まれた電話番号、すなわち、最新に端末履歴ＤＢ１６ａに格納された電話番号を抽出する。
【００５８】
ステップＳ１０において、監視結果通知部１７は、ステップＳ９において抽出された電話番号をモニタ１０ｈまたは端末装置３１ａ，３２ａ，３３ａのモニタに表示する。また、監視結果通知部１７は、端末装置３１ａ，３２ａ，３３ａからの要求に応じて、端末履歴ＤＢ１６ａに格納されている電話番号を端末装置３１ａ，３２ａ，３３ａのモニタに表示する。
【００５９】
なお、第１の方法による絞込みでは、端末装置３１ａ，３２ａ，３３ａから電話番号を受信するたびに、上記のステップが行われ、監視対象端末２１と同じエリアにいる端末が絞り込まれていく。
【００６０】
図１０は、第２の方法が指定されたときの端末の絞込みの流れを示したシーケンス図である。
ステップＳ２１において、追跡要求受信部１１は、端末装置３１ａ，３２ａ，３３ａから監視対象端末２１の電話番号と端末の絞込み方法を受信する。なお、今回は、絞込み方法は第２の方法であるので、端末の絞込み条件も受信する。
【００６１】
ステップＳ２２において、追跡要求受信部１１は、収集契機管理部１２を呼び出す。このとき、追跡要求受信部１１は、電話番号と絞込み条件を収集契機管理部１２に送信する。収集契機管理部１２は、受信した電話番号と絞込み条件を収集契機管理ＤＢ１２ａに格納し、絞込み条件に従って、端末エリア抽出部１４を呼び出す。
【００６２】
ステップＳ２３において、端末エリア抽出部１４は、収集契機管理部１２により起動され、ホームメモリ局４０に、監視対象端末２１の収容されているセルを、監視対象端末２１の電話番号より問い合わせる。
【００６３】
ステップＳ２４において、ホームメモリ局４０は、問い合わせのあった電話番号のセルを移動端末絞込みサーバ１０に返す。
ステップＳ２５において、端末エリア抽出部１４は、ホームメモリ局４０から監視対象端末２１が収容されているセルを受信する。端末エリア抽出部１４は、エリア情報管理ＤＢ１４ａを参照し、受信したセルに対応するエリアを取得する。端末エリア抽出部１４は、同一エリア端末抽出部１５を呼び出し、取得したエリアを送信する。
【００６４】
ステップＳ２６において、同一エリア端末抽出部１５は、端末エリア抽出部１４からの呼び出しにより起動し、端末エリア抽出部１４から監視対象端末２１が収容されているエリアを受信する。同一エリア端末抽出部１５は、エリア情報管理ＤＢ１４ａを参照し、受信したエリアに対応する各キャリアのセルを取得する。
【００６５】
ステップＳ２７において、同一エリア端末抽出部１５は、取得したセルに収容されている全ての端末の電話番号をホームメモリ局４０に問い合わせる。すなわち、監視対象端末２１が収容されているエリアと同じエリアに収容されている全ての端末の電話番号をホームメモリ局４０に問い合わせる。
【００６６】
ステップＳ２８において、同一エリア端末抽出部１５は、ホームメモリ局４０から監視対象端末２１と同じエリアに存在している端末の電話番号を受信する。同一エリア端末抽出部１５は、端末履歴管理部１６を呼び出し、受信した電話番号を送信する。
【００６７】
ステップＳ２９において、端末履歴管理部１６は、同一エリア端末抽出部１５からの呼び出しにより起動し、監視対象端末２１と同じエリアに存在している端末の電話番号を受信する。端末履歴管理部１６は、前回端末履歴ＤＢ１６ａに格納された電話番号と同じ電話番号のみを端末履歴ＤＢ１６ａに格納する。
【００６８】
ステップＳ３０において、端末履歴管理部１６は、端末履歴ＤＢ１６ａを参照し、絞り込まれた電話番号、すなわち、最新に端末履歴ＤＢ１６ａに格納された電話番号を抽出する。
【００６９】
ステップＳ３１において、監視結果通知部１７は、ステップＳ３０において抽出された電話番号をモニタ１０ｈまたは端末装置３１ａ，３２ａ，３３ａのモニタに表示する。また、監視結果通知部１７は、端末装置３１ａ，３２ａ，３３ａからの要求に応じて、端末履歴ＤＢ１６ａに格納されている電話番号を端末装置３１ａ，３２ａ，３３ａのモニタに表示する。
【００７０】
なお、上記動作は、第２の方法のみを示しているが、第１の方法と組み合わせて動作させることもできる。絞込み条件に従って、特定端末２２の絞込み（第２の方法）を行うとともに、端末装置３１ａ，３２ａ，３３ａから電話番号が送信されるたびに、特定端末２２の絞込み（第１の方法）を行うようにすることができる。
【００７１】
図１１は、第３の方法が指定されたときの端末の絞込みの流れを示したシーケンス図である。
ステップＳ４１において、追跡要求受信部１１は、端末装置３１ａ，３２ａ，３３ａから監視対象端末２１の電話番号と端末の絞込み方法を受信する。なお、今回は、絞込み方法は第３の方法である。
【００７２】
ステップＳ４２において、追跡要求受信部１１は、位置登録通知管理部１３を呼び出す。このとき、追跡要求受信部１１は、受信した電話番号を位置登録通知管理部１３に送信する。位置登録通知管理部１３は、受信した電話番号をホームメモリ局４０に登録し、登録した電話番号の端末がハンドオーバしたとき、その旨を通知するようホームメモリ局４０に要求する。
【００７３】
ステップＳ４３において、ホームメモリ局４０は、位置登録通知管理部１３から送信された電話番号を登録する。
ステップＳ４４において、ホームメモリ局４０は、登録した電話番号がハンドオーバしたとき、位置登録通知管理部１３を呼び出すと共に電話番号を送信する。位置登録通知管理部１３は、端末エリア抽出部１４を呼び出し、ホームメモリ局４０より受信した電話番号を端末エリア抽出部１４に送信する。
【００７４】
ステップＳ４５において、端末エリア抽出部１４は、位置登録通知管理部１３から受信した電話番号より、その電話番号の監視対象端末２１の収容されているセルを、ホームメモリ局４０に問い合わせる。
【００７５】
ステップＳ４６において、ホームメモリ局４０は、問い合わせのあった電話番号のセルを移動端末絞込みサーバ１０に返す。
ステップＳ４７において、端末エリア抽出部１４は、ホームメモリ局４０から監視対象端末２１が収容されているセルを受信する。端末エリア抽出部１４は、エリア情報管理ＤＢ１４ａを参照し、受信したセルに対応するエリアを取得する。端末エリア抽出部１４は、同一エリア端末抽出部１５を呼び出し、取得したエリアを送信する。
【００７６】
ステップＳ４８において、同一エリア端末抽出部１５は、端末エリア抽出部１４からの呼び出しにより起動し、端末エリア抽出部１４から監視対象端末２１が収容されているエリアを受信する。同一エリア端末抽出部１５は、エリア情報管理ＤＢ１４ａを参照し、受信したエリアに対応する各キャリアのセルを取得する。
【００７７】
ステップＳ４９において、同一エリア端末抽出部１５は、取得したセルに収容されている全ての端末の電話番号をホームメモリ局４０に問い合わせる。すなわち、監視対象端末２１が収容されているエリアと同じエリアに収容されている全ての端末の電話番号をホームメモリ局４０に問い合わせる。
【００７８】
ステップＳ５０において、同一エリア端末抽出部１５は、ホームメモリ局４０から監視対象端末２１と同じエリアに存在している全ての端末の電話番号を受信する。同一エリア端末抽出部１５は、端末履歴管理部１６を呼び出し、受信した電話番号を送信する。
【００７９】
ステップＳ５１において、端末履歴管理部１６は、同一エリア端末抽出部１５からの呼び出しにより起動し、監視対象端末２１と同じエリアに存在している端末の電話番号を受信する。端末履歴管理部１６は、前回端末履歴ＤＢ１６ａに格納された電話番号と同じ電話番号のみを端末履歴ＤＢ１６ａに格納する。
【００８０】
ステップＳ５２において、端末履歴管理部１６は、端末履歴ＤＢ１６ａを参照し、絞り込まれた電話番号、すなわち、最新に端末履歴ＤＢ１６ａに格納された電話番号を抽出する。
【００８１】
ステップＳ５３において、監視結果通知部１７は、ステップＳ５２において抽出された電話番号をモニタ１０ｈまたは端末装置３１ａ，３２ａ，３３ａのモニタに表示する。また、監視結果通知部１７は、端末装置３１ａ，３２ａ，３３ａからの要求に応じて、端末履歴ＤＢ１６ａに格納されている電話番号を端末装置３１ａ，３２ａ，３３ａのモニタに表示する。
【００８２】
なお、上記動作は、第３の方法のみを示しているが、第１の方法または第２の方法と組み合わせて動作させることもできる。例えば、端末装置３１ａ，３２ａ，３３ａから電話番号が送信されるたびに、特定端末２２の絞込み（第１の方法）を行うとともに、監視対象端末２１がハンドオーバしたときにも特定端末２２の絞込みを行うようにすることができる。また、絞込み条件に従って特定端末２２の絞込み（第２の方法）を行うとともに、監視対象端末２１がハンドオーバしたときにも特定端末２２の絞込みを行うようにすることができる。
【００８３】
このように、監視対象端末２１と常に同じエリアに存在している端末の電話番号が端末履歴ＤＢ１６ａに残されていき、保持される。これによって、監視対象端末２１と共に移動している特定端末２２を絞り込むことができる。そして、特定端末２２の電話番号から特定端末２２の所有者の情報を得ることができ、例えば、誘拐犯を推定することができる。
【００８４】
また、絞込み条件を入力すると、その条件に従って特定端末２２の絞込みが行われ、毎回監視対象端末２１の電話番号を入力する必要がなくなり、オペレータの手間を省くことができる。
【００８５】
また、監視対象端末２１のハンドオーバを契機に、監視対象端末２１と同じエリアに存在している端末の電話番号を取得するようにした。これによって、監視対象端末２１がハンドオーバしたときにも共に移動している端末を絞り込むことにより、特定端末２２を絞り込む精度が高くなる。
【００８６】
さらに、モニタに端末履歴ＤＢ１６ａの情報を表示装置に表示することにより、監視対象端末２１と共に移動している特定端末２２の特定の判断がしやすくなる。
なお、コンピュータが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）フレキシブルディスク（ＦＤ）、磁気テープなどがある。光ディスクには、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）などがある。光磁気記録媒体には、ＭＯ（Magneto-Optical disk）などがある。
【００８７】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【００８８】
（付記１）  複数の端末から監視対象端末と共に移動している特定端末を絞り込む移動端末絞込み装置において、
オペレータから前記監視対象端末の電話番号を受信する電話番号受信手段と、
前記端末の存在している地域を示す位置情報を前記端末の電話番号と対応させて管理しているホームメモリ局から、前記監視対象端末の前記位置情報を、前記監視対象端末の前記電話番号より取得する位置情報取得手段と、
前記ホームメモリ局から、前記監視対象端末と同じ前記位置情報を有する前記端末の前記電話番号を取得する電話番号取得手段と、
前記監視対象端末と常に同じ前記位置情報を有する前記端末の前記電話番号を保持する電話番号保持手段と、
を有することを特徴とする移動端末絞込み装置。
【００８９】
（付記２）  前記位置情報取得手段は、前記オペレータから入力される条件に従って、前記監視対象端末の前記位置情報を取得することを特徴とする付記１記載の移動端末絞込み装置。
【００９０】
（付記３）  前記ホームメモリ局は、前記監視対象端末が別の地域に移動したとき、前記監視対象端末の前記位置情報を前記位置情報取得手段に送信することを特徴とする付記１記載の移動端末絞込み装置。
【００９１】
（付記４）  前記電話番号保持手段によって保持される前記電話番号を表示装置に表示する電話番号表示手段をさらに有することを特徴とする付記１記載の移動端末絞込み装置。
【００９２】
（付記５）  キャリアに依存せずに前記端末の存在する地域を示すエリアと前記位置情報とが対応して記憶されたエリア情報管理データベースと、
前記エリア情報管理データベースを参照して、前記位置情報に対応する前記エリアを取得するエリア取得手段と、
をさらに有することを特徴とする付記１記載の移動端末絞込み装置。
【００９３】
（付記６）  前記条件には、前記位置情報を取得する周期、回数、または日時が含まれることを特徴とする付記２記載の移動端末絞込み装置。
（付記７）  複数の端末から監視対象端末と共に移動している特定端末を絞り込む移動端末絞込みプログラムにおいて、
コンピュータを、
オペレータから前記監視対象端末の電話番号を受信する電話番号受信手段、
前記端末の存在している地域を示す位置情報を前記端末の電話番号と対応させて管理しているホームメモリ局から、前記監視対象端末の前記位置情報を、前記監視対象端末の前記電話番号より取得する位置情報取得手段、
前記ホームメモリ局から、前記監視対象端末と同じ前記位置情報を有する前記端末の前記電話番号を取得する電話番号取得手段、
前記監視対象端末と常に同じ前記位置情報を有する前記端末の前記電話番号を保持する電話番号保持手段、
として機能させることを特徴とする移動端末絞込みプログラム。
【図面の簡単な説明】
【００９４】
【図１】本発明の原理を説明する原理図である。
【図２】本発明の実施の形態のシステム構成例を示した図である。
【図３】移動端末絞込みサーバのハードウェア構成を示したブロック図である。
【図４】移動端末絞込みサーバの機能ブロック図である。
【図５】収集契機管理ＤＢのデータ構成例を示した図である。
【図６】セルとエリアの関係を説明する図で、（ａ）はセルを示した図、（ｂ）はセルとエリアを示した図である。
【図７】エリア情報管理ＤＢのデータ構成例を示した図である。
【図８】端末履歴ＤＢのデータ構成例を示した図である。
【図９】第１の方法が指定されたときの端末の絞込みの流れを示したシーケンス図である。
【図１０】第２の方法が指定されたときの端末の絞込みの流れを示したシーケンス図である。
【図１１】第３の方法が指定されたときの端末の絞込みの流れを示したシーケンス図である。
【符号の説明】
【００９５】
１  移動端末絞込み装置
１ａ  電話番号受信手段
１ｂ  位置情報取得手段
１ｃ  電話番号取得手段
１ｄ  電話番号保持手段
２，４０  ホームメモリ局
３ａ，２１  監視対象端末
３ｂ，２２  特定端末
１０  移動端末絞込みサーバ
１１  追跡要求受信部
１２  収集契機管理部
１２ａ  収集契機管理ＤＢ
１３  位置登録通知管理部
１４  端末エリア抽出部
１４ａ  エリア情報管理ＤＢ
１５  同一エリア端末抽出部
１６  端末履歴管理部
１６ａ  端末履歴ＤＢ
１７  監視結果通知部
【図１】
2005286955.tif 000003
【図２】
2005286955.tif 000004
【図３】
2005286955.tif 000005
【図４】
2005286955.tif 000006
【図５】
2005286955.tif 000007
【図６】
2005286955.tif 000008
【図７】
2005286955.tif 000009
【図８】
2005286955.tif 000010
【図９】
2005286955.tif 000011
【図１０】
2005286955.tif 000012
【図１１】
2005286955.tif 000013